(57)【要約】【課題】表示パネル検査用ジグ、これを利用する表示パネル検査システム及び方法を提供すること。【解決手段】表示パネル検査用ジグは、プレート、接地板、及び１つ以上のサイドホルダーを含む。接地板はプレート上に位置し、表示パネルを収納する。サイドホルダーはプレートの側面部に配置されて、プレートの角度を調整する。このように、表示パネル検査用ジグはサイドホルダーを含むことによって、安定的に表示パネルを支持してプレートの角度を調整することができる。【選択図】図２
2010044052.tif 000002
【特許請求の範囲】
【請求項１】
プレートと、
前記プレート上に位置し、表示パネルを収納し、前記表示パネルと対向する第１接地面及び前記第１接地面と隣接する接地側面を含む接地板と、
前記プレート上の側面部に位置され、前記プレートの角度を調整するサイドホルダーと、
を含む表示パネル検査用ジグ。
【請求項２】
前記プレートは前記接地板の接地側面と隣接してオーバーラップする固定部材を有し、前記接地板は前記固定部材に固定されることを特徴とする請求項１記載の表示パネル検査用ジグ。
【請求項３】
前記接地板は、外部の駆動ユニットの主アンテナと電気的に接続される第１接地ネジ、及び前記駆動ユニットの補助アンテナと電気的に接続される第２接地ネジをさらに含む請求項１記載の表示パネル検査用ジグ。
【請求項４】
前記接地板から前記表示パネルが離脱されることを防ぐための１つ以上のガイド部をさらに含む請求項１記載の表示パネル検査用ジグ。
【請求項５】
前記接地板及び前記サイドホルダーは、前記プレートから分離可能であることを特徴とする請求項１記載の表示パネル検査用ジグ。
【請求項６】
前記サイドホルダーは前記プレートの調整された角度を固定するための締め付け部材、及び前記プレートが地表面から傾いた角度を測定する分度器を含み、前記サイドホルダーは三角形形状であることを特徴とする請求項１記載の表示パネル検査用ジグ。
【請求項７】
Ｕ字形状を有し、開口部に前記接地板が固定されたプレートが挿入されて前記接地板の上端部を支持するトップホルダーをさらに含み、前記トップホルダーは前記プレートから前記接地板の分離が可能になるように締め付け部材を含むことを特徴とする請求項１記載の表示パネル検査用ジグ。
【請求項８】
前記プレートからＬ字形状で突出されて、前記接地板の下端部を支持する１つ以上のボトムホルダーをさらに含む請求項１記載の表示パネル検査用ジグ。
【請求項９】
前記接地板は、前記表示パネルと対向する底部と、前記底部のサイドから延長されて前記表示パネルの側面を支持する１つ以上の支持部と、を含むことを特徴とする請求項１記載の表示パネル検査用ジグ。
【請求項１０】
前記接地板は、前記プレートよりサイズが小さいことを特徴とする請求項１記載の表示パネル検査用ジグ。
【発明の詳細な説明】
【技術分野】
【０００１】
本発明は、表示パネルの検査の際に使用される表示パネル検査用ジグ、これを利用する検査システム及び方法に関する。
【背景技術】
【０００２】
最近、コンピュータモニター、ノートパソコン、テレビなどの発達によって液晶表示装置（Ｌｉｑｕｉｄ  Ｃｒｙｓｔａｌ  Ｄｉｓｐｌａｙ；ＬＣＤ）、プラズマディスプレイパネル（Ｐｌａｓｍａ  Ｄｉｓｐｌａｙ  Ｐａｎｅｌ；ＰＤＰ）、及び有機ＥＬ（Ｏｒｇａｎｉｃ  Ｌｉｇｈｔ  Ｅｍｉｔｔｉｎｇ  Ｄｉｏｄｅ；ＯＬＥＤ）などの表示パネルが多く開発されている。
【０００３】
また、無線ネットワーク（Ｗｉｒｅｌｅｓｓ  Ｎｅｔｗｏｒｋ）通信の発達による、通信周波数の高周波数化、アンテナ数の増加などによってコンピュータ、ノートパソコン、テレビなどの電磁波障害（Ｅｌｅｃｔｒｏ−Ｍａｇｎｅｔｉｃ  Ｉｎｔｅｒｆｅｒｅｎｃｅ；ＥＭＩ）に対する敏感度が急増している。
【０００４】
したがって、表示パネルの全生産工程を終了する前に、表示パネルの性能、電磁波障害及びスループット（Ｔｈｒｏｕｇｈｐｕｔ）などを検査する際、表示パネルを固定するジグが必要となる。特に、無線ネットワークと関連して無線ＬＡＮ（Ｗｉｒｅｌｅｓｓ  Ｌｏｃａｌ  Ａｒｅａ  Ｎｅｔｗｏｒｋ；ＷＬＡＮ）システムの電磁波障害検査、無線広域ネットワーク（Ｗｉｒｅｌｅｓｓ  Ｗｉｄｅ  Ａｒｅａ  Ｎｅｔｗｏｒｋ；ＷＷＡＮ）システムの電磁波障害検査及び無線ネットワークシステムのフィールドを評価するスループット（Ｔｈｒｏｕｇｈｐｕｔ）検査の際にも利用できるジグが要求される。
【発明の概要】
【発明が解決しようとする課題】
【０００５】
本発明の技術的課題はこのような点を解決するためのもので、本発明の目的は、各種の評価の際に、表示パネルを所望の角度に調整することができ、また接地板を含んで別途に接地手段を形成する必要がない表示パネル検査用ジグを提供することにある。
【０００６】
本発明の他の目的は、表示パネル検査用ジグを含む表示パネル検査システムを提供することにある。
【０００７】
本発明のさらに他の目的は、表示パネル検査用ジグを利用する表示パネル検査方法を提供することにある。
【課題を解決するための手段】
【０００８】
上述の本発明の目的を実現するための一実施形態による表示パネル検査用ジグは、プレート、接地板、及び１つ以上のサイドホルダーを含む。接地板は、プレート上に位置し、表示パネルを収納し、表示パネルと対向する第１接地面及び第１接地面と隣接する接地側面を含む。サイドホルダーは、プレートの側面部に配置されて、プレートの角度を調整する。
【０００９】
本発明の実施形態において、プレートは接地板の接地側面と隣接する部分とオーバーラップする固定部材を有し、接地板は固定部材に固定されてもよい。
【００１０】
本発明の実施形態において、接地板は、外部の駆動ユニットの主アンテナと電気的に接続される第１接地ネジをさらに含んでもよい。また、接地板は、駆動ユニットの補助アンテナと電気的に接続される第２接地ネジをさらに含んでもよい。
【００１１】
本発明の実施形態において、表示パネル検査用ジグは、接地板から表示パネルが離脱することを防ぐための１つ以上のガイド部をさらに含んでもよい。
【００１２】
本発明の実施形態において、接地板及びサイドホルダーは、プレートから分離されてもよい。
【００１３】
本発明の実施形態において、サイドホルダーは、プレートの調整された角度を固定するための締め付け部材を含む。また、サイドホルダーは、プレートが地表面から傾いた角度を測定する分度器をさらに含んでもよい。サイドホルダーは三角形の形状を有してもよい。
【００１４】
本発明の実施形態において、表示パネル検査用ジグは、Ｕ字形状を有し、開口部に接地板が固定されたプレートが挿入されて接地板の上端部を支持するトップホルダーをさらに含んでもよい。トップホルダーは、プレートから接地板の分離が可能になるように締め付け部材を含んでもよい。
【００１５】
本発明の実施形態において、表示パネル検査用ジグは、プレートからＬ字形状で突出されて、接地板の下端部を支持する１つ以上のボトムホルダーをさらに含んでもよい。
【００１６】
本発明の実施形態において、接地板は、表示パネルに対向する底部及び底部のエッジから延長されて表示パネルの側面を支持する１つ以上の支持部を含んでもよい。接地板は、プレートよりサイズが小さくてもよい。
【００１７】
本発明の実施形態において、プレート及びサイドホルダーは、強化プラスチックで構成されてもよい。
【００１８】
上述の本発明の他の目的を実現するための一実施形態による表示パネル検査システムは、ジグ、駆動ユニット、アンテナ、及び本体を含む。ジグは、プレートと、プレート上に位置し、電磁波を放出する被検査用表示パネルを収納する接地板と、プレートの側面部に配置されてプレートの角度を調整する１つ以上のサイドホルダーを含む。駆動ユニットは、被検査用表示パネルを駆動する。アンテナは、被検査用表示パネルが放出する電磁波を受信する。本体は、アンテナから受信した電磁波を基に被検査用表示パネルの評価データを算出する。
【００１９】
本発明の実施形態において、アンテナは、表示パネルから離隔されて、地表面の法線方向に移動してもよい。
【００２０】
本発明の実施形態において、表示パネル検査システムは、アンテナから受信した電磁波のスペクトルを分析するスペクトル分析器をさらに含んでもよい。
【００２１】
本発明の実施形態において、表示パネル検査システムは、被検査用表示パネルの評価データを表示するモニターをさらに含んでもよい。
【００２２】
上述の本発明のさらに他の目的を実現するための一実施形態による表示パネル検査方法は、被検査用表示パネルをジグのプレート上の接地板に収納し、プレートの角度を調整し、被検査用表示パネルを駆動し、被検査用表示パネルから放出される電磁波を受信して被検査用表示パネルの評価データを算出すること、を含む。
【００２３】
本発明の実施形態において、表示パネル検査方法は、算出された評価データを表示してもよい。
【００２４】
本発明の実施形態において、被検査用表示パネルの評価データの算出は、電磁波が最大に感知される位置で電磁波を受信し、受信した電磁波のスペクトルを分析して、分析したスペクトルから被検査用表示パネルの評価データを算出してもよい。
【００２５】
本発明の実施形態において、電磁波が最大に感知される位置を探し出せるように、アンテナの位置を地表面の法線方向に変更してもよい。
【００２６】
本発明の実施形態において、電磁波障害（Ｅｌｅｃｔｒｏ−Ｍａｇｎｅｔｉｃ  Ｉｎｔｅｒｆｅｒｅｎｃｅ；ＥＭＩ）検査する際に、プレートが地表面に対して約９０°を成すように調整してもよい。
【００２７】
本発明の実施形態において、無線ネットワーク特性検査の際、プレートが地表面に対して約１１０°を成すように調整してもよい。
【発明の効果】
【００２８】
このような表示パネル検査用ジグ、これを利用する表示パネル検査システム及び方法によると、サイドホルダーを含んで、プレートの角度を調整することができるため、表示パネルの多様な評価毎に所望の角度に調整することができる。また、プレートと表示パネルとの間に接地板を備えるため、接地手段を別途に形成することが省略されることができる。
【図面の簡単な説明】
【００２９】
【図１】本発明の実施形態１による表示パネル検査用ジグの分解斜視図である。
【図２】図１に図示した表示パネル検査用ジグを組立てたものを示した前面斜視図である。
【図３】図１に図示した表示パネル検査用ジグを組み立てたものを示した後面斜視図である。
【図４】本発明の一実施形態による表示パネル検査システムを示すブロック図である。
【図５】本発明の一実施形態による表示パネル検査方法を示すフローチャートである。
【図６】電磁波を基に被検査用表示パネルの評価データを算出する方法を説明するフローチャートである。
【図７】本発明の他の実施形態による表示パネル検査用ジグの斜視図である。
【図８】本発明の他の実施形態による表示パネル検査用ジグの斜視図である。
【発明を実施するための形態】
【００３０】
以下、図面を参照しつつ、本発明の表示装置の望ましい実施形態をより詳しく説明する。本発明は多様な変更を加えることができ、様々な形態を有することができるため、特定の実施形態を図面に例示し、本明細書に詳しく説明する。しかし、これは本発明を特定の開示形態に限定することはなく、本発明の思想及び技術範囲に含まれる全ての変更、均等物、ないしは代替物を含むことと理解されるべきである。各図面を説明しながら類似する参照符号を、類似する構成要素に対して使用した。図面において、構造物のサイズは本発明の明確性に基づくために実際より拡大して示した。第１、第２などの用語は多様な構成要素を説明するにあたって使用することができるが、各構成要素は使用される用語によって限定されるものではない。各用語は１つの構成要素を他の構成要素と区別する目的で使用されるものであって、例えば、明細書中において、第１構成要素を第２構成要素に書き換えることも可能であり、同様に第２構成要素を第１構成要素とすることができる。単数表現は文脈上、明白に異なる意味を有しない限り、複数の表現を含む。
【００３１】
本明細書において、「含む」または「有する」などの用語は、明細書上に記載された特徴、数字、段階、動作、構成要素、部品、またはこれらを組み合わせたものが存在することを明示しようとすることであって、１つまたはそれ以上の別の特徴、数字、段階、動作、構成要素、部品、またはこれらを組み合わせたものの存在または付加可能性を予め排除しないことと理解されるべきである。また、層、膜、領域、板などの部分が他の部分の「上に」あるとする場合、これは他の部分の「すぐ上に」ある場合のみでなく、その中間にさらに他の部分がある場合も含む。反対に、層、膜、領域、板などの部分が他の部分の「下に」あるとする場合、これは他の部分の「すぐ下に」ある場合のみでなく、その中間にさらに他の部分がある場合も含む。
【００３２】
図１は、本発明の実施形態１による表示パネル検査用ジグの分解斜視図である。図２は、図１に図示した表示パネル検査用ジグを組立てたものを示した前面斜視図である。図３は、図１に図示した表示パネル検査用ジグを組み立てたものを示した後面斜視図である。
【００３３】
図１、図２、及び図３を参照すると、表示パネル検査用ジグ１００は、プレート１１０、接地板１３０、及びサイドホルダー１５０を含む。
【００３４】
プレート１１０、接地板１３０、及びサイドホルダー１５０は、各々分離が可能である。或いは、これとは異なり、プレート１１０、接地板１３０、及びサイドホルダー１５０は、一体に形成されて互いに分離されなくてもよい。
【００３５】
本実施形態において、プレート１１０は、四角形の形状である。プレート１１０は対向して互いに平行である第１及び第２平面と第１及び第２平面を接続する側面とを含む平面部材であってもよい。これとは異なり、プレート１１０は、パネル及び接地板の形状によって円形、三角形、多角形などの形状を有してもよい。プレート１１０は、電磁波に影響を与えない絶縁体からなってもよい。例えば、プレート１１０は、ゴムまたは強化プラスチックからなってもよい。
【００３６】
ジグ１００は、プレート１１０は、接地板１３０の位置を固定できる固定部材１１１をさらに含んでもよい。固定部材１１１は、プレート１１０の平面と直接接触し、プレート１１０の平面から所定距離だけ垂直方向に突出される。突出距離は、接地板１３０の厚さと実質的に同一であってもよいが、これに限定されることはない。固定部材１１１の突出距離は、接地板１３０の厚さとほぼ同一であってもよく、接地板１３０は固定部材１１１で支持されることができる。
【００３７】
本実施形態において、固定部材１１１は、プレート１１０の四つの角でＬ字形状を有するが、接地板の形状によって多様な形状を有してもよい。
【００３８】
ジグ１００は、プレート１１０の上端部で接地板１３０を固定するトップホルダー１１３をさらに含んでもよい。トップホルダー１１３は、図１〜図３に図示したように、プレート１１０の長手方向側面の幅の長さ及び前記長手方向側面と直接隣接するプレート１１０の第１及び第２平面部とオーバーラップする。
【００３９】
トップホルダー１１３は、Ｕ字形状であってもよい。トップホルダー１１３の第１部分は、プレート１１０の長手方向側面の幅の長さ全体にオーバーラップする。トップホルダー１１３の第２部分は、第１部分の第１端部から延長され、第１部分に対して第１傾斜角を形成する。トップホルダー１１３の第３部分は、第１端部と対向する第１部分の第２端部から延長され、第１部分に対して第２傾斜角を形成する。
【００４０】
トップホルダー１１３の第２及び第３部分は、第１部分に対して垂直であり、互いに平行である。第１、第２、及び第３部分の内面は、プレート１１０の長手方向側面の幅である外面、プレート１１０の第１平面及び第２平面と各々対向する。トップホルダー１１３の第１、第２、及び第３部分は一体に形成されて互いに分離されない。これとは異なり、互いに分離されるように形成されてもよい。
【００４１】
トップホルダー１１３は、プレート１１０と別途に形成されてもよい。トップホルダー１１３の開口部にプレート１１０及び接地板１３０が挿入されて固定される。
【００４２】
トップホルダー１１３は、プレート１１０及び接地板１３０が分離可能にする締め付け部材を含んでもよい。締め付け部材は、開口部１１３３と締め付け要素（例えば、ネジ）１１３１からなってもよい。締め付け要素１１３１は、トップホルダー１１３の開口部１１３３を完全に通過するようにトップホルダー１１３の第２部分に配置される。接地板１３０が第１、第２、及び第３部分に定義されたトップホルダー１１３の開口部に挿入されて、締め付け要素１１３１は動いてもよく、締め付け要素１１３１の端部分と接地板１３０の表面とが各々プレート１１０の第１及び第２平面と直接接触するよう調整されてもよい。トップホルダー１１３は、電磁波に影響を与えない絶縁体からなってもよい。例えば、トップホルダー１１３は、ゴムまたは強化プラスチックからなってもよい。
【００４３】
ジグ１００は、プレート１００の下端部で接地板１３０を固定するボトムホルダー１１５をさらに含んでもよい。ボトムホルダー１１５は、固定部材１１１が接触するプレート１１０の平面に直接接触し、プレート１１０の平面に対して実質的に垂直方向に所定の距離だけ突出される。ボトムホルダー１１５は、プレート１１０の平面と接触し、プレート１１０の平面に対して垂直に延長された第１部分、及び第１部分と所定の傾斜角で第１部分の端部から延長された第２部分を含む。ボトムホルダー１１５の第１部分の突出距離はボトムホルダー１１５の突出方向に実質的に平行である接地板１３０の厚さと実質的に同一であるが、これに限定されない。ボトムホルダー１１５の第１部分の突出距離は、接地板１３０の厚さとほぼ同一であり、接地板１３０はボトムホルダー１１５によって支持される。
【００４４】
ボトムホルダー１１５は、Ｌ字形状であってもよく、プレート１１０と一体に形成されてもよい。ボトムホルダー１１５は、プレート１１０の下端部から突出されてもよい。ボトムホルダー１１５は接地板１３０の下端部を支持し、１つ以上であってもよい。図１及び図２に図示されている、２つのボトムホルダー１１５は、プレート１１０の周辺に配置されて複数の固定部材１１１と一列に配列される。
【００４５】
固定部材１１１の各々の内面とボトムホルダー１１５の内面とは、接地板１３０の外面と下面、またはエッジに直接接触し、表示パネル３０のボトムホルダーに向かって下部方向、サイドホルダー１５０に向かってサイド方向、及びプレート１１０に対して垂直方向への動きを各々制限する。プレート１１０の上部に配列された固定部材１１１の内面は、接地板１３０の外面と上面とに直接接触し、表示パネルの固定部材１１１に向かって上部方向及び側部方向への動きを制限する。これとは異なり、ボトムホルダー１１５は、接地板１３０の形状に沿って幾つかの形状を有してもよく、接地板１３０の位置はプレート１１０に対して充分に維持される。
【００４６】
ボトムホルダー１１５は、電磁波に影響を与えない絶縁体からなってもよい。例えば、ボトムホルダー１１５は、ゴムまたは強化プラスチックからなってもよい。
【００４７】
接地板１３０は、被検査用表示パネル３０を収納し、被検査用表示パネル３０の映像が表示される面のみを露出する。本実施形態において、接地板１３０はトレイ（ｔｒａｙ）形状であるが、多様な形状を有してもよい。接地板１３０は、プレート１１０に形成された固定部材１１１によって位置が固定されるため、接地板１３０はプレート１１０のサイズより小さいことが望ましい。
【００４８】
接地板１３０は、表示パネル３０と対向する底部１３１及び表示パネル３０の側面を支持するために底部１３１のサイドから延長される支持部（１３３、１３５、１３７、１３９）を含む。底部１３１は、表示パネル３０の側面に隣接する表示パネル３０の平面の前部とオーバーラップする。支持部（１３３、１３５、１３７、１３９）は、底部１３１のエッジに沿ってフレーム形状に形成される。接地板１３０の支持部（１３３、１３５、１３７、１３９）は、表示パネル３０の側面に形成された金属板を接地させる。支持部（１３３、１３５、１３７、１３９）は連続的に形成されてもよく、部分的に形成されてもよい。図１及び図２に図示したように、支持部（１３３、１３５、１３７、１３９）は、底部１３１のエッジ全体に沿って延長される。底部１３１及び支持部（１３３、１３５、１３７、１３９）は一体に形成されてもよく、これとは異なり、互いに分離するように形成されてもよい。
【００４９】
また接地板１３０は、第１接地線１１７及び第２接地線１１９をさらに含んでもよい。第１及び第２接地線（１１７、１１９）は、接地板１３０に直接取り付けられることができるため、接地板１３０がプレート１１０から離れる際、第１及び第２接地線（１１７、１１９）もプレート１１０から離れる。第１接地線１１７は外部の駆動ユニットの主アンテナ（図示せず）と接続されてもよく、第２接続線１１９は駆動ユニットの補助アンテナと接続されてもよい。例えば、外部の駆動ユニットは、表示パネル３０を駆動するノートパソコンの本体であってもよい。
【００５０】
第１接地線１１７及び第２接地線１１９は、ネジ（ｓｃｒｅｗ）タイプであってもよく、駆動ユニットのアンテナ線の被覆部分に接続される。従って、駆動ユニットの主アンテナ及び補助アンテナは第１接地線１１７及び第２接地線１１９に電気的に接続されて接地される。
【００５１】
例えば、被検査される表示パネル３０は、ＬＣＤ、ＰＤＰ、ＯＬＥＤなどであってもよい。表示パネル３０は、駆動ユニットによって駆動される。表示パネル３０と駆動ユニットとの接続は、有線または無線であってもよい。
【００５２】
図１を再び参照すると、表示パネル３０は、接地板１３０に収納されて、映像が表示される面、即ち前面３１のみが露出される。表示パネル３０が接地板１３０に収納された際、映像が表示される面３１の反対側の面、即ち後面３２は、接地板１３０の底部１３１と対向する。接地板１３０の底部１３１は、後面３２全体とオーバーラップされてもよい。表示パネル３０の側面（３３、３５、３７、３９）は接地板１３０の支持部（１３３、１３５、１３７、１３９）と各々対向して、接地板１３０に収納される。表示パネル３０は、全体が底部１３１と支持部（１３３、１３５、１３７、１３９）とで定義された空間に配置されてもよい。本実施形態において、表示パネル３０及び接地板１３０は、四角形の形状または円形、三角形、多角形などの形状を有してもよい。接地板１３０の底部１３１と支持部（１３３、１３５、１３７、１３９）とで定義される収納空間の形状及び大きさは、表示パネル３０の形状及び大きさと実質的に類似する。
【００５３】
表示パネル３０を収納した接地板１３０は、プレート１１０に形成された固定部材１１１によって位置が固定される。固定部材１１１に固定された接地板１３０は、プレート１１０の下端部に形成されたボトムホルダー１１５によって支持されてもよい。また、プレートの上段部に形成されたトップホルダー１１３のＵ字形状の開口部に、表示パネル３０を収納した接地板１３０がプレート１１０に固定されたまま挿入される。トップホルダー１１３の端は、接地板１３０及び表示パネル３０のエッジ部とオーバーラップされる。この際、トップホルダー１１３に形成された締め付け部材によって接地板１３０をプレート１１０の上端部で固定することができる。
【００５４】
上述のように、本発明の実施形態による表示パネル検査用ジグ１００は、接地板１３０が表示パネル３０を収納したまま固定部材１１１、トップホルダー１１３、及びボトムホルダー１１５によって支持されるため、プレート１１０が地表面と成す角度が９０°以下になっても、表示パネル３０が検査用ジグ１００から離脱することを防ぐことができる。表示パネル用ジグ１００の支持面は、サイドホルダー１５０の底と接触する面と同じく、ジグ１００が配置された平面である。
【００５５】
図１〜図３を再び参照すると、サイドホルダー１５０は、表示パネル検査用ジグ１００の両側面部でプレート１１０を支持する一方、プレート１１０が地表面と成す角度の調整を可能にする。本実施形態において、サイドホルダー１５０は、三角形の形状または四角形などの形状であってもよい。また、本実施形態において、サイドホルダー１５０は、プレート１１０の両側面部に各々配置されるか、または１つのサイドホルダーが接続された形状であってもよい。
【００５６】
サイドホルダー１５０は、分度器１５５をさらに含んでもよい。分度器１５５は、プレート１１０が地表面と成す角度を測定する。分度器１５５は、サイドホルダー１５０のうち、片側のみに形成されてもよく、両側に形成されてもよい。
【００５７】
サイドホルダー１５０は、第２締め付け部材をさらに含んでもよい。第２締め付け部材は、サイドホルダー１５０をプレート１１０と分離可能にする。また、プレート１１０が地表面と成す角度の調整を可能にする。即ち、各種検査に応じて適する角度にプレート１１０を調整した後、サイドホルダー１５０の第２締め付け部材を締め付けることによって、調整された角度を固定することができる。
【００５８】
サイドホルダー１５０の第２締め付け部材は、締め付け要素（例えば、ネジ）１５１及びネジ１５１と対応するようにサイドホルダー１５０に形成された開口部１５３であってもよい。サイドホルダー１５０のネジ１５１に対応する開口部１５３は、プレート１１０の側面部に形成されてもよい。ネジ１５１は、サイドホルダー１５０及びプレート１１０に形成された開口部１５３と結合して、プレート１１０の選択角が固定され、プレート１１０の動きは制限されるかまたは効果的に遮断される。プレート１１０は、開口部１５３及びネジ１５１に定義される主軸に対して回転する。
【００５９】
サイドホルダー１５０は、電磁波に影響を与えない絶縁体からなってもよい。例えば、サイドホルダー１５０は、ゴムまたは強化プレスチックからなってもよい。
【００６０】
サイドホルダー１５０は、プレート１１０の角度を自動的に調整する自動角度調整装置（図示せず）を含んでもよい。
【００６１】
望ましくは、サイドホルダー１５０を含む表示パネル検査用ジグ１００は、検査過程の間、地面またはジグ１００の支持面に対するプレート１１０の角度が９０°以下である場合でも、表示パネル３０の位置を維持し、動きを制限する。
【００６２】
図４は、本発明の一実施形態による表示パネル検査システムを示すブロック図である。
【００６３】
図１〜図４を参照すると、表示パネル検査システム１０００は、ジグ１００、駆動ユニット５０、アンテナ７０、本体８０を含む。表示パネル検査システム１０００は、スペクトル分析器７５をさらに含んでもよい。また、表示パネル検査システム１０００は、モニター９０をさらに含んでもよい。
【００６４】
ジグ１００は、図１〜図３のジグ１００と実質的に同一であるため、重複する説明は省略する。ジグ１００の接地板１３０は、被検査用表示パネル３０を収納する。
【００６５】
サイドホルダー１５０によって、使用者は、プレート１１０が地表面となす角度を所望の角度に調整することができる。従って、検査の種類に応じて、被検査用表示パネル３０の地表面との角度を調整しようとする際、被検査用表示パネル３０を収納した接地板１３０が取りつけられたプレート１１０の角度を調整し、サイドホルダー１５０の締め付け部材で調整された角度を固定することによって安定的な検査が可能になる。
【００６６】
被検査用表示パネル３０は被検査される装置として、接地板１３０に収納されて、ジグ１００のプレート１１０に取り付けられる。被検査用表示パネル３０は、駆動ユニット５０によって駆動される。駆動ユニット５０は、被検査用表示パネル３０を駆動するために被検査用表示パネル３０に駆動信号５２を提供する。
【００６７】
駆動ユニット５０に駆動されることによって、被検査用表示パネル３０は映像を表示し、電磁波３４を放出する。例えば、被検査用表示パネル３０はノートパソコンのＬＣＤモニターであってもよく、駆動ユニット５０はノートパソコン本体であってもよい。アンテナ７０は、被検査用表示パネル３０から放出された電磁波３４を受信する。アンテナ７０は、被検査用表示パネル３０と一定距離離隔されて配置されてもよく、地表面の法線方向にも移動が可能である。例えば、アンテナ７０は被検査用表示パネル３０から約１０ｍ離隔されて配置されてもよく、地表面から法線方向に約１ｍ〜約４ｍ範囲内で移動が可能である。アンテナ７０は、受信した電磁波７２を本体８０に提供する。
【００６８】
本体８０は、アンテナ７０から受信した電磁波７２に基づいて、被検査用表示パネルの検査の評価データ８２を算出する。本体８０は、算出された評価データ８２をモニター９０に伝送する。
【００６９】
表示パネル検査システム１０００は、スペクトル分析器７５をさらに含んでもよい。スペクトル分析器７５は、アンテナ７０から受信した電磁波７２のスペクトルを分析する。本体８０は、スペクトル分析器７５によって分析されたスペクトル７６を読み取って評価データ８２を算出する。
【００７０】
モニター９０は、評価データ８２を表示する。使用者は、モニター９０に表示された評価データ８２を観察するか、または評価データ８２に追加操作することによって、被検査用表示パネル３０の状態を検査することができる。
【００７１】
ＥＭＩ検査は、被検査用表示パネル３０から遠距離にまで及ぶ電磁波障害の検査であり、被検査用表示パネル３０とアンテナ７０との距離は約１０ｍであってもよい。
【００７２】
一方、ＷＬＡＮシステムのＥＭＩ検査、ＷＷＡＮシステムのＥＭＩ検査、及び無線ネットワークシステムのスループット（Ｔｈｒｏｕｇｈｐｕｔ）検査は、無線ネットワーク機器付近の電磁波障害の検査であり、被検査用表示パネル３０とアンテナ７０との距離は約１ｍ以内であってもよい。
【００７３】
図５は、本発明の一実施形態による表示パネル検査方法を示すフローチャートである。
【００７４】
図１〜図５を参照して被検査用表示パネル３０の検査方法をみると、先ず被検査用表示パネル３０をジグ１００に装着する（ステップＳ１００）。
【００７５】
被検査用表示パネル３０をジグ１００に装着するために、表示パネル３０を接地板１３０に収納し、接地板１３０をプレート１１０のボトムホルダー１１５に固定し、接地板１３０とプレート１１０をトップホルダー１１３に挿入した後、トップホルダー１１３の締め付け部材を締め付けて固定する。
【００７６】
ジグ１００に装着した被検査用表示パネル３０のＥＭＩ検査が必要であるかの可否が決定される（ステップＳ２００）。
【００７７】
ＥＭＩ検査が必要でない場合、再びスタートに戻る。一方、ＥＭＩ検査が必要である場合、ジグ１００のプレート１１０の角度を調整する（ステップＳ３００）。ジグ３００の角度を固定するために、プレート１１０の角度を調整した後、サイドホルダー１５０の締め付け部材を締め付けて調整した角を固定する。例えば、ＥＭＩ検査の際、被検査用表示パネル３０が地表面と約９０°である場合、ノイズが最も多く発生するため、プレート１１０が地表面と約９０°をなすように調整されてもよい。角度は、自動角度調整装置によって自動的に調整されてもよい。
【００７８】
プレート１３０の角度が調整された後、駆動ユニット５０が被検査用表示パネル３０を駆動する（ステップＳ４００）。駆動ユニット５０は、例えば、ノートパソコン本体として被検査用表示パネル３０を駆動してもよい。駆動ユニット５０の駆動によって、被検査用表示パネル３０は映像を表示し、電磁波を放出する。
【００７９】
被検査用表示パネル３０から放出した電磁波を基に、被検査用表示パネルの評価データ８２を算出する（ステップＳ５００）。
【００８０】
図６は、電磁波を基に被検査用表示パネルの評価データを算出する方法を説明するフローチャートである。
【００８１】
図６を参照すると、被検査用表示パネル３０と離隔されたアンテナ７０は、被検査用表示パネル３０から放出される電磁波が最大に感知される位置で止まる。この際、電磁波が最大に感知される位置を探し出すように、アンテナ７０の位置を地表面に対して法線方向に可変させてもよい（ステップＳ５１０）。
【００８２】
アンテナ７０の位置が決定されると、被検査用表示パネル３０から電磁波を受信する（ステップＳ５３０）。例えば、ＥＭＩ検査の際、アンテナ７０は、約３０ＭＨｚ〜１ＧＨｚ範囲の周波数領域の電磁波を感知するように設定されてもよい。アンテナ７０は、受信した電磁波７２をスペクトル分析器７５に出力する。スペクトル分析器７５は、電磁波のスペクトルを分析する（ステップＳ５５０）。
【００８３】
本体８０は、スペクトル分析器７５によって分析された電磁波のスペクトル７６から被検査用表示パネルの評価データ８２を算出する（ステップＳ５７０）。
【００８４】
再び、図５を参照すると、本体８０から算出された評価データ８２は、モニター９０に伝送される。モニター９０は、受信した評価データ８２を表示する（ステップＳ６００）。使用者は、モニター９０をモニタリングして、被検査用表示パネル３０のＥＭＩノイズなどを評価することができる。
【００８５】
ＥＭＩ検査が終わった後、他の種類の検査が必要であるかの可否、例えば、ＷＬＡＮシステムのＥＭＩ検査、ＷＷＡＮシステムのＥＭＩ検査、及び無線ネットワークシステムのスループット（Ｔｈｒｏｕｇｈｐｕｔ）検査などの無線ネットワーク特性の検査が必要であるかの可否が決定される（ステップＳ７００）。
【００８６】
無線ネットワーク特性の検査が必要でない場合、検査は終了される。無線ネットワーク特性の検査が必要である場合、再びジグ１００のプレート１１０の角度を調整する（ステップＳ３００）。
【００８７】
例えば、ＷＬＡＮシステムのＥＭＩ検査、ＷＷＡＮシステムのＥＭＩ検査及び無線ネットワークシステムのスループット（Ｔｈｒｏｕｇｈｐｕｔ）検査の際には、被検査用表示パネル３０が地表面と約１１０°である場合、ＥＭＩノイズが最も多く発生するため、プレート１１０が地表面と約１１０°を成すように調整してもよい。角度は、自動角度調整装置によって自動的に調整されてもよい。
【００８８】
後の過程は、上述した過程と同一である。例えば、ＷＬＡＮシステムのＥＭＩ検査の際、アンテナ７０は約２．４ＧＨｚ〜５ＧＨｚ範囲の周波数領域の電磁波を感知するように設定されてもよい。ＷＷＡＮシステムのＥＭＩ検査の際、アンテナ７０は約８００ＭＨｚ、９００ＭＨｚ、１８００ＭＨｚ、１９００ＭＨｚ周波数領域帯の電磁波を感知するように設定されてもよい。
【００８９】
表示パネルシステムは、チャンバー（ｃｈａｍｂｅｒ）に配置されてもよく、遮蔽ボックス（ｓｈｉｅｌｄ  ｂｏｘ）に配置されてもよい。被検査用表示パネル３０とアンテナとの距離が比較的遠い場合はチャンバーで検査が行われることが一般的であり、被検査用表示パネル３０とアンテナ７０との距離が比較的近い場合は遮蔽ボックス内で検査が行われることが一般的である。
【００９０】
本実施形態においては、各種評価毎に要求される角度で表示パネルを調整することができ、サイドホルダー、トップホルダー、及びボトムホルダーが接地板及び表示パネルを支持するため、安定的に表示パネルを検査することができる。また、表示パネルを収納する接地板がプレートと表示パネルとの間に存在するため、評価ごとに接地手段を形成する作業は必要ない。
【００９１】
図７は、本発明の他の実施形態による表示パネル検査用ジグの斜視図である。
【００９２】
図７を参照すると、表示パネル検査用ジグ３００は、プレート３１０、接地板３３０、サイドホルダー３５０、及びガイド部３１３を含む。以下、図１〜図３と重複する説明は省略する。
【００９３】
プレート３１０、接地板３３０、サイドホルダー３５０、及びガイド部３１３は各々分離可能である。そして、検査される表示パネル３０は、ジグ３００と分離可能になるように配置される。
【００９４】
プレート３１０は、接地板３３０の位置を固定することのできる固定部材３１１を含む。固定部材３１１は、プレート３１０の平面と直接接触し、プレート３１０と垂直にプレートの平面から所定距離突出する。固定部材３１１の内面は、接地板３３０の外面のコーナーと直接接触する。
【００９５】
本実施形態において、固定部材３１１は、プレート３１０の４つの角でＬ字形状を有するか、或いは接地板またはパネルの形状によって多様な形状を有してもよい。プレート３１０は、電磁波に影響を与えない絶縁体からなってもよい。例えば、プレート３１０は、ゴムまたは強化プラスチックからなってもよい。
【００９６】
ガイド部３１３は、固定部材３１１が表示パネル３０とガイド部３１３との間に配置されるように表示パネル３０をガイドする。表示パネル３０及び接地板３３０のコーナーエッジは、ガイド部３１３、固定部材３１１、及びプレート３１０に定義される収納空間に配置されてもよい。ガイド部３１３、固定部材３１１、及びプレート３１０の結合は、下部方向、上部方向、側面方向、及びプレート３１０で離隔される方向を含む方向に対する表示パネル３０の動きを制限する。望ましくは、ガイド部３１３は、プレート３１０が地表面と成す角度が９０°以下になっても、表示パネル３０及び接地板３３０がプレート３１０から離脱しないようにガイドする。ガイド部３１３は、一端のみが固定されていて３６０°回転することができる。
【００９７】
従って、ガイド部３１３を移動させて表示パネル３０を収納した接地板３３０をジグ３００から分離するか、または固定することができる。本実施形態は、図１〜図３に示した実施形態におけるボトムホルダー１１５及びトップホルダー１１３を省略し、ガイド部３１３を備える。望ましくは、表示パネル３０を検査過程中で保護するための追加的な構成要素の数を減らして、ジグ３００がより簡単に組立てられるようにし、表示パネル３０を固定するように使用されることができる。
【００９８】
本実施形態においては、表示パネル３０を接地板３３０に収納した後に接地板３３０をプレート３１０に固定し、ガイド部３１３を移動させて表示パネル３０を収納した接地板３３０を固定させてもよい。一方、先ず接地板３３０をプレート３１０に固定した後に表示パネル３０を接地板３３０に収納し、ガイド部３１３を移動させて表示パネル３０を収納した接地板３３０を固定させてもよい。
【００９９】
本実施形態において、ガイド部３１３は、固定部材３１１上に形成されるが、プレート３１０上に形成されてもよい。ガイド部３１３は、接地板３３０のコーナーエッジ部とオーバーラップし、接地板３３０の中央に延長され、表示パネル３０の表示面とオーバーラップする。複数のガイド部３１３の内面各々は表示パネル３０の表示面に接して、表示パネル３０が接地板３３０から離隔することを防ぐ。ガイド部３１３は、最初の位置から回転して移動し、接地板３３０及び／または表示パネル３０を収納し、接地板３３０及び／または表示パネル３０が挿入されると、接地板３３０及び／または表示パネル３０の動きを制限する最初の位置に戻される。
【０１００】
接地板３３０は、被検査用表示パネル３０を収納し、被検査用表示パネル３０の映像が表示される面のみを露出する。本実施形態において、接地板３３０はトレイ（ｔｒａｙ）形状であるが、表示パネル３０の形状によって多様な形状を有してもよい。接地板３３０はプレート３１０に形成された固定部材３１１によって位置が固定されるため、接地板３３０はプレート３１０のサイズより小さいことが望ましい。
【０１０１】
また、接地板３３０は、第１接地線３１７及び第２接地線３１９をさらに含んでもよい。第１接地線３１７は外部の駆動ユニット（図示せず）の主アンテナと接続されてもよく、第２接地線３１９は駆動ユニットの補助アンテナと接続されてもよい。例えば、外部の駆動ユニットは、被検査用表示パネル３０を駆動するノートパソコン本体であってもよい。
【０１０２】
第１接地線３１７及び第２接地線３１９はネジ（ｓｃｒｅｗ）タイプであってもよく、駆動ユニットのアンテナ線の被覆部分に接触される。従って、駆動ユニットの主アンテナ及び補助アンテナは、第１接地線３１７及び第２接地線３１９に電気的に接続されて接地される。
【０１０３】
例えば、被検査される表示パネル３０はＬＣＤ、ＰＤＰ、ＯＬＥＤなどであってもよい。表示パネル３０は、駆動ユニットによって駆動される。表示パネル３０と駆動ユニットとの接続は、有線または無線であってもよい。
【０１０４】
表示パネル３０を収納した接地板３３０は、プレート３１０に形成された固定部材３１１によって位置が固定されて、接地板３３０のプレート３１０からの離脱が減るか、または効果的に遮断される。また、表示パネル３０を収納した接地板３３０は、ガイド部３１３によってプレート３１０から離脱されることが防止される。
【０１０５】
サイドホルダー３５０は、表示パネル検査用ジグ３００の両側面部でプレート３１０を支持する一方、プレート３１０が地表面と成す角度の調整を可能にする。本実施形態において、サイドホルダー３５０は三角形または四角形などの形状であってもよい。
【０１０６】
サイドホルダー３５０は、分度器３５５をさらに含んでもよい。分度器３５５は、プレート３１０が地表面と成す角度を測定する。分度器３５５は、サイドホルダー３５０のうち、一方のみに形成されてもよく、両側に形成されてもよい。
【０１０７】
サイドホルダー３５０は、締め付け部材をさらに含んでもよい。締め付け部材は、サイドホルダー３５０をプレート３１０と分離可能にする。また、プレート３１０が地表面と成す角度の調整を可能にする。即ち、各種検査に応じて、適した角度でプレート３１０を調整した後、サイドホルダー３５０の締め付け部材を締め付けることによって、調整された角度を固定することができる。
【０１０８】
サイドホルダー３５０の締め付け部材は、締め付け要素、例えば、ネジ３５１及びネジ３５１が挿入されるようにサイドホルダー３５０を貫通する開口部を含む。開口部は、プレート３１０の側面に形成されてもよい。ネジ３５１は、サイドホルダー３５０及びプレート３１０に形成された開口部と結合されて、プレート３１０の角度を固定し、プレート３１０の動きは制限されるか、または効果的に遮断される。締め付け部材の結合を緩めた場合、プレート３１０の角度を変えることができる。
【０１０９】
サイドホルダー３５０は、電磁波に影響を与えない絶縁体からなってもよい。例えば、サイドホルダー３５０は、ゴムまたは強化プラスチックからなってもよい。
【０１１０】
サイドホルダー３５０は、プレート３１０の角度を自動的に調整する自動角度調整装置（図示せず）を含んでもよい。
【０１１１】
本実施形態による表示パネル検査システムは、図４を参照して説明した実施形態１の表示パネル検査システムにおいてジグ３００のガイド部３１３を除いては実質的に同一であるため、重複する説明は省略する。
【０１１２】
ジグ３００は、プレート３１０の角度を調整するサイドホルダー３５０によって使用者が望む角度に調整されることができる。この際、接地板３３０に収納された表示パネル３０はガイド部３１３によってガイドされるため、プレート３１０が地表面と成す角度が９０°以下になっても、表示パネル３０がプレート３１０から離脱されることが防止される。
【０１１３】
従って、検査の種類に応じて、被検査用表示パネル３０が地表面と成す角度を調整する場合、被検査用表示パネル３０が取り付けられたプレート３１０の角度を調整し、サイドホルダー３５０の締め付け部材によって調整された角度を固定することで、安定的な検査が可能になる。
【０１１４】
本実施形態による被検査用表示パネルの検査方法は、図５を通じて説明した実施形態１の被検査用表示パネルの検査方法において、ジグ３００のガイド部３１３と関係していることを除いては実質的に同一であるため、重複する説明は省略する。
【０１１５】
被検査用表示パネル３０の検査方法をみると、先ず、被検査用表示パネル３０をジグ３００に取り付ける（ステップＳ１００）。本実施形態においては、被検査用表示パネル３０を取り付けた接地板３３０をプレート１１０の固定部材３１１に位置を固定し、ガイド部３１３の固定されていない一端を被検査用表示パネル３０上に移動させて、被検査用表示パネル３０をジグ３００に取り付ける。
【０１１６】
あるいは、先ず接地板３３０をプレート３１０の固定部材３１１によって位置を固定させ、それから表示パネル３０を接地板３３０に収納し、その後にガイド部３１３の固定されていない一端を被検査用表示パネル３０上に移動させて被検査用表示パネル３０をジグ３００に取り付けてもよい。
【０１１７】
本実施形態においては、各種評価毎に要求される角度に表示パネルを調整することができ、サイドホルダー及びガイド部が接地板及び表示パネルを支持するため、安定的に表示パネルを検査することができる。また、表示パネルを収納する接地板がプレートと表示パネルとの間に存在するため、評価ごとに接地手段を形成する必要がない。
【０１１８】
図８は、本発明の他の実施形態による表示パネル検査用ジグの斜視図である。
【０１１９】
図８を参照すると、表示パネル検査用ジグ５００は、プレート５１０、接地板５３０、サイドホルダー５５０、ガイド部５１３を含む。以下、図１〜図３、及び図７と重複する説明は省略する。
【０１２０】
プレート５１０、接地板５３０、サイドホルダー５５０、及びガイド部５１３は各々分離可能である。
【０１２１】
図１〜図３、及び図７の実施形態とは異なり、本実施形態においては、１つのサイドホルダー５５０がプレート５１０の第１側面部から第２側面部まで延長された形状である。この際、第１及び第２側面部は互いに対向である。
【０１２２】
サイドホルダー５５０は、プレート５１０を支持する一方、プレート５１０が地表面と成す角度を締め付け部材を利用して固定する。本実施形態において、サイドホルダー５５０の側面は三角形または四角形などの形状であってもよい。
【０１２３】
サイドホルダー５５０は、分度器５５５をさらに含んでもよい。分度器５５５は、プレート５１０が地表面と成す角度を測定する。分度器５５５は、サイドホルダー５５０のうち、一方のみに形成されてもよく、両側に形成されてもよい。
【０１２４】
サイドホルダー５５０は、締め付け部材をさらに含んでもよい。締め付け部材は、サイドホルダー５５０をプレート５１０と分離可能にする。また、プレート５１０が地表面と成す角度の調整を可能にする。即ち、各種検査毎に適した角度にプレート５１０を調整した後、サイドホルダー５５０の締め付け部材を締め付けることによって、調整された角度を固定することができる。
【０１２５】
サイドホルダー５５０の締め付け部材は、締め付け要素、例えば、ネジ５５１及びネジ５５１が挿入されるようにサイドホルダー５５０を貫通する開口部を含む。開口部は、プレート５１０の側面に形成されてもよい。ネジ５５１は、サイドホルダー５５０及びプレート５１０に形成された開口部と結合されて、プレート５１０の角度を固定し、プレート５１０の動きは制限されるかまたは効果的に遮断される。締め付け部材の結合を緩めた場合、プレート５１０の角度を変えることができる。
【０１２６】
サイドホルダー５５０は、電磁波に影響を与えない絶縁体からなってもよい。例えば、サイドホルダー５５０は、ゴムまたは強化プラスチックからなってもよい。
【０１２７】
サイドホルダー５５０は、プレート５１０の角度を自動的に調整する自動角度調整装置（図示せず）を含んでもよい。
【０１２８】
本実施形態による表示パネル検査システムは、図４を参照して説明した実施形態１の表示パネル検査システムにおいて、ジグ５００のガイド部５１３を除いては実質的に同一であるため、重複する説明は省略する。
【０１２９】
ジグ５００は、プレート５１０の角度を調整するサイドホルダー５５０によって使用者が望む角度に調整されることができる。この際、接地板５３０に収納された表示パネル３０は、ガイド部５１３によってガイドされるため、プレート５１０が地表面と成す角度が９０°以下になっても、表示パネル３０がプレート５１０から離脱されることが防止される。
【０１３０】
従って、検査の種類に応じて被検査用表示パネル３０が地表面と成す角度を調整する場合、被検査用表示パネル３０が取り付けられたプレート５１０の角度を調整し、サイドホルダー５５０の締め付け部材で調整された角度を固定することによって安定的な検査が可能になる。
【０１３１】
本実施形態による被検査用表示パネルの検査方法は、図５を参照して説明した実施形態１の被検査用表示パネルの検査方法において、ジグ５００のガイド部５１３と関係していることを除いては実質的に同一であるため、重複する説明は省略する。
【０１３２】
被検査用表示パネル３０の検査方法をみると、先ず、被検査用表示パネル３０をジグ５００に取り付ける（ステップＳ１００）。本実施形態においては、被検査用表示パネル３０を取り付けた接地板５３０をプレート５１０の固定部材５１１に位置を固定し、ガイド部５１３を被検査用表示パネル３０上に移動させて、被検査用表示パネル３０をジグ５００に取り付ける。
【０１３３】
あるいは、先ず接地板５３０をプレート５１０の固定部材５１１に位置を固定させ、表示パネル３０を接地板５３０に収納した後にガイド部５１３の固定されていない一端を被検査用表示パネル３０上に移動させて、被検査用表示パネル３０をジグ５００に取り付けてもよい。
【０１３４】
本実施形態においては、各種評価毎に要求される角度に表示パネルを調整することができ、サイドホルダー及びガイド部が接地板及び表示パネルを支持するため、安定的に表示パネルを検査することができる。また、表示パネルを収納する接地板がプレートと表示パネルとの間に存在するため、評価ごとに接地手段を形成する必要がない。
【０１３５】
以上、図面を参照しながら本発明の好適な実施形態について詳細に説明したが、本発明はかかる例に限定されない。本発明の属する技術の分野における通常の知識を有する者であれば、特徴請求の範囲に記載された技術的思想の範疇内において、各種の変更例または修正例に想到し得ることは明らかであり、これらについても、当然に本発明の技術的範囲に属するものと了解される。
【産業上の利用可能性】
【０１３６】
以上、説明したように、本発明の実施形態によると各種評価毎に要求される角度で表示パネルを調整することができ、調整された角度を維持するため、安定的に表示パネルを検査することができる。
【０１３７】
また、表示パネルを収納する接地板がプレートと表示パネルとの間に存在するため、評価ごとに接地手段を形成する作業を省略することができて、経済的かつ時間的損失を減少させることができる。
【符号の説明】
【０１３８】
１００、３００、５００      ジグ
１１０、３１０、５１０      プレート
１１１、３１１、５１１      固定部材
１３０，３３０、５３０      接地板
１５０、３５０、５５０      サイドホルダー
１１３      トップホルダー
１１５      ボトムホルダー
３１３、５１３      ガイド部
３０      表示パネル
５０      駆動ユニット
７０      アンテナ
８０      本体
９０      モニター
【図１】
2010044052.tif 000003
【図２】
2010044052.tif 000004
【図３】
2010044052.tif 000005
【図４】
2010044052.tif 000006
【図５】
2010044052.tif 000007
【図６】
2010044052.tif 000008
【図７】
2010044052.tif 000009
【図８】
2010044052.tif 000010